(57)【要約】      （修正有）【課題】共に絶縁性材料からなる第一分割ハウジングの第一対向面と第二分割ハウジングの第二対向面を対向させたときに、分岐コネクタの外側にある水や埃などが第一対向面と第二対向面の隙間を通り抜けて中継コンタクトや第一ケーブル及び第二ケーブルの中継コンタクトとの接続部に接触するおそれを低減できる分岐コネクタを提供する。【解決手段】第一対向面１７及び第一挟持部１９、２０を有する第一分割ハウジング１６と、第二対向面３１及び第二挟持部３３、３４を有する第二分割ハウジング３０と、両ハウジングを接続する連結部４５と、両ハウジングの位置を固定するロック手段と、第一、第二ケーブルの一方の端部と接続する中継コンタクトと、中継コンタクトの外周側に位置する有底溝３７Ａ、３７Ｂ、３７Ｃ、３８Ａ、３８Ｂ、３８Ｃと、嵌合突部２３Ａ、２３Ｂ、２３Ｃ、５０と、を備える。【選択図】図４
2014116097.tif 000002
【特許請求の範囲】
【請求項１】
絶縁性材料からなり、かつ第一対向面及び第一挟持部を有する第一分割ハウジングと、
絶縁性材料からなり、かつ第二対向面及び該第二対向面が上記第一対向面と対向したときに上記第一挟持部との間で第一ケーブルの中間部及び第二ケーブルの一方の端部を挟持する第二挟持部を有する第二分割ハウジングと、
上記第一分割ハウジングと上記第二分割ハウジングを、上記第一対向面と上記第二対向面を互いに接離可能として接続する連結部と、
上記第一対向面と上記第二対向面が対向したときに、上記第一分割ハウジングと上記第二分割ハウジングの位置を固定するロック手段と、
上記第一対向面に支持した、上記第一ケーブルの上記中間部及び上記第二ケーブルの上記一方の端部と接続する中継コンタクトと、
上記第一対向面と上記第二対向面の一方に凹設した、上記中継コンタクトの外周側に位置する有底溝と、
上記第一対向面と上記第二対向面の他方に突設した、上記第一対向面と上記第二対向面が対向したときに上記有底溝に嵌合する嵌合突部と、
を備えることを特徴とする分岐コネクタ。
【請求項２】
請求項１記載の分岐コネクタにおいて、
上記有底溝が、第一有底溝及び該第一有底溝の内周側に位置する第二有底溝を有し、
上記嵌合突部が、上記第一有底溝に嵌合する第一嵌合突部及び上記第一嵌合突部の内周側に位置しかつ上記第二有底溝に水密状態で嵌合する弾性材料製の第二嵌合突部を有する分岐コネクタ。
【請求項３】
請求項２記載の分岐コネクタにおいて、
上記第一ケーブルの上記中継コンタクトとの接続部の両側に位置する部位の全周にそれぞれ接触しかつ環状形状をなす複数の第一パッキンを備える分岐コネクタ。
【請求項４】
請求項３記載の分岐コネクタにおいて、
上記各第一パッキンが、上記第一対向面と上記第二対向面にそれぞれ設けた、上記第一対向面と上記第二対向面が対向したときに全体として環状形状をなす一対の第一分割パッキンからなる分岐コネクタ。
【請求項５】
請求項１から４のいずれか１項記載の分岐コネクタにおいて、
上記第二ケーブルの上記一方の端部より他方の端部側に位置する部位の全周に接触しかつ環状形状をなす第二パッキンを備える分岐コネクタ。
【請求項６】
請求項５記載の分岐コネクタにおいて、
上記第二パッキンが、上記第一対向面と上記第二対向面にそれぞれ設けた、上記第一対向面と上記第二対向面が対向したときに全体として環状形状をなす一対の第二分割パッキンからなる分岐コネクタ。
【発明の詳細な説明】
【技術分野】
【０００１】
本発明は分岐コネクタに関する。
【背景技術】
【０００２】
既存のケーブル（電線）の中間部に対して、当該電線とは別のケーブル（電線）の一端を接続するための分岐コネクタの従来例としては、例えば特許文献１に開示されたものがある。
この分岐コネクタは、絶縁性（合成樹脂製）のハウジングと、ハウジングに支持した中継コンタクトと、を具備するものである。ハウジングは、第一対向面を有する第一分割ハウジングと、第二対向面を有する第二分割ハウジングと、第一分割ハウジングと第二分割ハウジングを、第一対向面と第二対向面を互いに接離可能として接続する連結部と、第一対向面と第二対向面が互いに接触したときに当該接触状態を保持するロック手段と、を一体的に備えている。中継コンタクトは、第一分割ハウジングの第一対向面に固定状態で支持したものであり、ケーブル圧接片及びケーブル圧着部を有している。
【０００３】
以上構成の分岐コネクタを介して、既存のケーブル（以下、第一ケーブルと呼ぶ）に対して別個のケーブル（以下、第二ケーブルと呼ぶ）の一端を接続するには、まず第一対向面と第二対向面を離間させ、その上で第一ケーブルの中間部を第二分割ハウジングに支持させ、さらに第二ケーブルの一端を中継コンタクトのケーブル圧着部に圧着する。次いで、第二分割ハウジングを第一分割ハウジングに接近させることにより第一対向面を第二対向面に接触させ、ロック手段によって当該接触状態を保持する。すると第二分割ハウジングが第一ケーブルの中間部を中継コンタクトのケーブル圧接片に押圧するので、第一ケーブルの中間部が中継コンタクトのケーブル圧接片に圧接される。
その結果、第一ケーブルと第二ケーブルが中継コンタクトを介して互いに電気的に導通する。
【先行技術文献】
【特許文献】
【０００４】
【特許文献１】特許第３０２８９８８号公報
【発明の概要】
【発明が解決しようとする課題】
【０００５】
しかしハウジングを構成する第一分割ハウジング、第二分割ハウジング、及び連結部は合成樹脂製なので、第一分割ハウジングと第二分割ハウジングを接触させたときに（ロック手段によりロックしたときに）第一対向面と第二対向面の間に微小な隙間が形成され易い。そのため分岐コネクタの外側から第一対向面と第二対向面の間に水や埃などが進入し、これらが中継コンタクトや第一ケーブル及び第二ケーブルの中継コンタクトとの接続部に接触するおそれがある。
【０００６】
本発明の目的は、共に絶縁性材料からなる第一分割ハウジングの第一対向面と第二分割ハウジングの第二対向面を対向させたときに、分岐コネクタの外側にある水や埃などが第一対向面と第二対向面の隙間を通り抜けて中継コンタクトや第一ケーブル及び第二ケーブルの中継コンタクトとの接続部に接触するおそれを低減できる分岐コネクタを提供することにある。
【課題を解決するための手段】
【０００７】
本発明の分岐コネクタは、絶縁性材料からなり、かつ第一対向面及び第一挟持部を有する第一分割ハウジングと、絶縁性材料からなり、かつ第二対向面及び該第二対向面が上記第一対向面と対向したときに上記第一挟持部との間で第一ケーブルの中間部及び第二ケーブルの一方の端部を挟持する第二挟持部を有する第二分割ハウジングと、上記第一分割ハウジングと上記第二分割ハウジングを、上記第一対向面と上記第二対向面を互いに接離可能として接続する連結部と、上記第一対向面と上記第二対向面が対向したときに、上記第一分割ハウジングと上記第二分割ハウジングの位置を固定するロック手段と、上記第一対向面に支持した、上記第一ケーブルの上記中間部及び上記第二ケーブルの上記一方の端部と接続する中継コンタクトと、上記第一対向面と上記第二対向面の一方に凹設した、上記中継コンタクトの外周側に位置する有底溝と、上記第一対向面と上記第二対向面の他方に突設した、上記第一対向面と上記第二対向面が対向したときに上記有底溝に嵌合する嵌合突部と、を備えることを特徴としている。
【０００８】
上記有底溝が、第一有底溝及び該第一有底溝の内周側に位置する第二有底溝を有し、上記嵌合突部が、上記第一有底溝に嵌合する第一嵌合突部及び上記第一嵌合突部の内周側に位置しかつ上記第二有底溝に水密状態で嵌合する弾性材料製の第二嵌合突部を有してもよい。
【０００９】
上記第一ケーブルの上記中継コンタクトとの接続部の両側に位置する部位の全周にそれぞれ接触しかつ環状形状をなす複数の第一パッキンを備えてもよい。
上記各第一パッキンが、上記第一対向面と上記第二対向面にそれぞれ設けた、上記第一対向面と上記第二対向面が対向したときに全体として環状形状をなす一対の第一分割パッキンからなるものであってもよい。
【００１０】
上記第二ケーブルの上記一方の端部より他方の端部側に位置する部位の全周に接触しかつ環状形状をなす第二パッキンを備えてもよい。
【００１１】
上記第二パッキンが、上記第一対向面と上記第二対向面にそれぞれ設けた、上記第一対向面と上記第二対向面が対向したときに全体として環状形状をなす一対の第二分割パッキンからなるものであってもよい。
【発明の効果】
【００１２】
本発明の分岐コネクタは、共に絶縁性材料からなる第一分割ハウジングの第一対向面と第二分割ハウジングの第二対向面を対向させたときに、第一対向面と第二対向面の間に微小な隙間が形成される可能性がある。
しかし、第一対向面と第二対向面の一方に中継コンタクトの外周側に位置する有底溝を凹設し、かつ、第一対向面と第二対向面の他方に有底溝に嵌合する嵌合突部を突設している。その結果、有底溝及び嵌合突部を形成しない場合に比べて、上記隙間の第一分割ハウジング及び第二分割ハウジングの外周縁部から中継コンタクトまでの沿面距離が長くなる。そのため、分岐コネクタの外側にある水や埃などが第一対向面と第二対向面の隙間を通り抜けて中継コンタクトや第一ケーブル及び第二ケーブルの中継コンタクトとの接続部に接触するおそれを低減できる。
【図面の簡単な説明】
【００１３】
【図１】本発明の一実施形態の分岐コネクタの分解斜視図である。
【図２】ハウジングの展開状態の平面図である。
【図３】（ａ）は中継コンタクトのケーブル圧着部と第二ケーブルの端部の分離状態の斜視図であり、（ｂ）は両者を圧着したときの斜視図である。
【図４】展開状態のハウジング並びにハウジングに取り付けた中継コンタクト、第二ケーブル、メインパッキン、及びサブパッキンの斜視図である。
【図５】図４のハウジングに対して第一ケーブルを仮支持したときの図３と同様の斜視図である。
【図６】第一ケーブル及び第二ケーブル並びに第一ケーブル及び第二ケーブルに対して接続した分岐コネクタの斜視図である。
【図７】図６のVII−VII線に沿う断面図である。
【図８】図６のVIII−VIII線に沿う断面図である。
【発明を実施するための形態】
【００１４】
以下、添付図面を参照しながら本発明の一実施形態について説明する。なお、以下の説明中の前後、左右、及び上下の方向は、図中の矢印の方向を基準としている。
本実施形態の分岐コネクタ１０は、大きな構成要素として絶縁ハウジング１５、メインパッキン５０、サブパッキン５７、及び中継コンタクト６０を具備している
絶縁ハウジング１５は絶縁性の合成樹脂材料により構成した一体成形品であり第一分割ハウジング１６、第二分割ハウジング３０、及び第一分割ハウジング１６と第二分割ハウジング３０を接続する連結部４５を一体的に具備している。
第一分割ハウジング１６の厚み方向の一方の面（図１の上面）は平面からなる第一対向面１７により構成してある。第一対向面１７の中央部には平面視略Ｕ字形のコンタクト取付溝１８が凹設してあり、コンタクト取付溝１８の底面には略円柱形状の位置決め突起１８ａが突設してある。第一対向面１７には、コンタクト取付溝１８の前後両側に位置し互いに同一直線上に位置する一対の第一ケーブル取付溝１９（第一挟持部）と、第一ケーブル取付溝１９と平行をなす第二ケーブル取付溝２０（第一挟持部）が凹設してある。前側の第一ケーブル取付溝１９及び第二ケーブル取付溝２０は第一分割ハウジング１６の前壁を貫通しており、後側の第一ケーブル取付溝１９は第一分割ハウジング１６の後壁を貫通している。第一ケーブル取付溝１９及び第二ケーブル取付溝２０の断面形状は半円形である。第一対向面１７には、前後の第一ケーブル取付溝１９を横断する計４つの半円状凹部２１と、第二ケーブル取付溝２０を横断する２つの半円状凹部２２とが凹設してある。第一対向面１７には、第一対向面１７の外周縁部に沿って延びる３つの嵌合壁２３Ａ、２３Ｂ、及び２３Ｃ（嵌合突部）（第一嵌合突部）が突設してある。さらに第一対向面１７には、嵌合壁２３Ａ、２３Ｂ、及び２３Ｃのそれぞれ内周側に位置する３つのパッキン取付用突起２４Ａ、２４Ｂ、及び２４Ｃが突設してある。第一分割ハウジング１６の側面には一つのロック用突起２５（ロック手段）と、２つの仮ロック用突起２６とが突設してある。さらに第一分割ハウジング１６の当該側面と反対側の側面には一つのロック用突起２７（図４参照）が突設してある。
【００１５】
第二分割ハウジング３０の厚み方向の一方の面（図１の上面）は平面からなる第二対向面３１により構成してある。第二対向面３１の中央近傍部には、断面Ｕ字形の溝を有するケーブル押圧突起３２が突設してある。第二対向面３１には、ケーブル押圧突起３２の前後両側に位置し互いに同一直線上（及びケーブル押圧突起３２のＵ字溝と同一直線上）に位置する一対の第一ケーブル取付溝３３（第二挟持部）と、第一ケーブル取付溝３３と平行をなす第二ケーブル取付溝３４（第二挟持部）が凹設してある。前側の第一ケーブル取付溝３３及び第二ケーブル取付溝３４は第二分割ハウジング３０の前壁を貫通しており、後側の第一ケーブル取付溝３３は第二分割ハウジング３０の後壁を貫通している。第一ケーブル取付溝３３及び第二ケーブル取付溝３４の断面形状は半円形である。第二対向面３１には、前後の第一ケーブル取付溝３３を横断する計４つの半円状凹部３５と、第二ケーブル取付溝３４を横断する２つの半円状凹部３６とが凹設してある。第二対向面３１には、第二対向面３１の外周縁部に沿って延びる３つの嵌合溝３７Ａ、３７Ｂ、及び３７Ｃ（有底溝）（第一有底溝）が凹設してある。図示するように嵌合溝３７Ａ、３７Ｂ、及び３７Ｃの平面形状は嵌合壁２３Ａ、２３Ｂ、及び２３Ｃの平面形状とそれぞれ同一である。さらに第二対向面３１には、嵌合溝３７Ａ、３７Ｂ、及び３７Ｃのそれぞれ内周側に位置する３つのパッキン取付用溝３８Ａ、３８Ｂ、及び３８Ｃ（有底溝）（第二有底溝）が凹設してある。第二分割ハウジング３０の側面には第一突片３９が突設してあり、第一突片３９に形成した貫通孔４０の内面には係合突起４１（ロック手段）が突設してある。さらに第二分割ハウジング３０の当該側面と反対側の側面には第二突片４２が突設してあり、第二突片４２には貫通孔４３が形成してある。この第二突片４２の突出量（図１、図４、図５の上下寸法）は第一突片３９より小さい。
第一分割ハウジング１６と第二分割ハウジング３０に対して両端がそれぞれ接続する前後一対の連結部４５は、その中央部に前後方向に延びる折り曲げ線４６が形成してある。そのため前後の連結部４５は折り曲げ線４６を中心に折り曲げ可能である。
【００１６】
ゴム等の弾性材料からなるメインパッキン５０（嵌合突部）（第二嵌合突部）は、嵌合壁２３Ａ、２３Ｂ、２３Ｃ、４つの半円状凹部２１、及び２つの半円状凹部２２とそれぞれ対応する形状の第一構成部５１、第二構成部５２、第三構成部５３、４つの半円状部５４（第一パッキン）、及び２つの半円状部５５（第二パッキン）を一体的に具備している。図示するように前側の２つの半円状部５４が第一構成部５１と第三構成部５３を接続しており、後側の２つの半円状部５４が第一構成部５１と第二構成部５２を接続しており、２つの半円状部５５が第二構成部５２と第三構成部５３を接続している。また図示は省略してあるが、第一構成部５１、第二構成部５２、及び第三構成部５３の下面にはそれぞれ溝が形成してある。
図４及び図５に示すようにメインパッキン５０は、展開状態にある絶縁ハウジング１５の第一分割ハウジング１６のパッキン取付用突起２４Ａ、２４Ｂ、及び２４Ｃに対して第一構成部５１、第二構成部５２、及び第三構成部５３の下面に形成した上記各溝をそれぞれ水密状態（及び気密状態）で嵌合し、かつ４つの半円状凹部２１及び２つの半円状凹部２２に対して４つの半円状部５４及び２つの半円状部５５をそれぞれ水密状態（及び気密状態）で嵌合することにより、第一分割ハウジング１６に対して着脱可能に取り付けてある。
ゴム等の弾性材料からなる計６つのサブパッキン５７（第一パッキン）（第二パッキン）は半円状部５４、５５と同じ形状の部材であり、展開状態にある絶縁ハウジング１５の第二分割ハウジング３０の半円状凹部３５及び半円状凹部３６に対してそれぞれ着脱可能に取り付けてある。
【００１７】
中継コンタクト６０はばね弾性を備えた銅合金（例えばリン青銅、ベリリウム銅、チタン銅）やコルソン系銅合金の薄板を順送金型（スタンピング）を用いて図示形状に成形加工したものであり、表面にニッケルメッキで下地を形成した後に、金メッキや錫銅めっきを施している。
中継コンタクト６０は、基片６１と、基片６１の前後両端から基片６１に対して直交する方向に延びる一対のケーブル圧接片６２と、後方のケーブル圧接片６２から右側に延びる延出片６４と、延出片６４の右端部の前面に突設した円弧形状のケーブル圧着部６５と、を一体的に具備している。図３（ａ）に示すようにケーブル圧着部６５は複数の圧着片６６を具備している。基片６１の中心部には円形の位置決め孔６１ａが形成してある。また前後のケーブル圧接片６２にはスリットからなる圧接用溝６３がそれぞれ形成してある。
中継コンタクト６０は、第一ケーブル７０及び第二ケーブル７５が接続するものである。
第一ケーブル７０と第二ケーブル７５は、導電性及び可撓性を有する材料からなる芯線７１、７６（撚り線や単線）の表面をチューブ状かつ可撓性を有する絶縁チューブ７２、７７でそれぞれ被覆したものである。第一ケーブル７０は自動車等の内部に最初から配線した電源と接続する既存のケーブルである。一方、第二ケーブル７５は第一ケーブル７０に対して後から追加で接続するケーブルであり、その一端（前端）には例えばＥＴＣ用端末等が接続してある。
【００１８】
中継コンタクト６０は絶縁ハウジング１５に対して取り付ける前に第二ケーブル７５と一体化する。即ち、図３（ａ）に示す状態のケーブル圧着部６５に対して第二ケーブル７５の後端部を載せた後に、図３（ｂ）に示すように各圧着片６６を第二ケーブル７５の後端部に対してかしめる。すると、絶縁チューブ７７の後端から後方に突出（露出）させた芯線７６の後端部に対して圧着片６６が圧着され（接触し）、中継コンタクト６０と第二ケーブル７５の後端部が一体化する。
次いで、展開状態にある絶縁ハウジング１５の第一分割ハウジング１６のコンタクト取付溝１８に対して中継コンタクト６０の下部を嵌合し、かつ位置決め孔６１ａを位置決め突起１８ａに対して嵌合することにより、第一分割ハウジング１６に対して着脱可能に取り付ける（図４参照）。中継コンタクト６０を第一分割ハウジング１６に取り付けると、前後の第一ケーブル取付溝１９を通る軸線上に前後の圧接用溝６３が位置する。このとき、第二ケーブル取付溝２０に対して第二ケーブル７５の他端近傍部（後端近傍部）の下半部が嵌合する（接触する）。
続いて、図５に示すように、第一分割ハウジング１６を下方から第一ケーブル７０の中間部に対して接近させ、一対のケーブル圧接片６２の圧接用溝６３の入口側端部（上端部）に第一ケーブル７０の中間部を嵌め込む（圧接用溝６３の入口側端部で第一ケーブル７０の絶縁チューブ７２を挟持する）。
次いで、前後の連結部４５を折り曲げ線４６に沿って折り曲げながら第一分割ハウジング１６と第二分割ハウジング３０を接近方向に相対回転させる。するとケーブル押圧突起３２が、第一ケーブル７０の中間部を圧接用溝６３の奥側（下方）に押し込みながら前後のケーブル圧接片６２の間の空間に入り込み、第一突片３９の貫通孔４０内に前後の仮ロック用突起２６が位置し、さらに前後の仮ロック用突起２６に係合突起４１が係合する。また、このとき第一突片３９より突出量（上下寸法）が小さい第二突片４２は、第一分割ハウジング１６の上面と干渉することなく、第一分割ハウジング１６のロック用突起２７が形成された側面に接近し、第二突片４２の貫通孔４３内にロック用突起２７が円滑に進入する。このように前後の仮ロック用突起２６と係合突起４１が係合することにより第一分割ハウジング１６と第二分割ハウジング３０は仮ロック状態となる。この仮ロック状態では、第一分割ハウジング１６（第一対向面１７）及び第二分割ハウジング３０（第二対向面３１）の自由端（連結部４５と反対側の端部）は互いに離れた状態にあるため、作業者は、中継コンタクト６０（圧接用溝６３）に圧接させようとしている第一ケーブル７０が中継コンタクト６０の圧接用溝６３の入口側端部に進入しているか否かを、第一分割ハウジング１６（第一対向面１７）及び第二分割ハウジング３０（第二対向面３１）の自由端の間に形成された隙間から視認できる。
【００１９】
第一ケーブル７０が中継コンタクト６０の圧接用溝６３内に進入していることを確認した後に、図示を省略した工具（例えば、プライヤー）によって第一分割ハウジング１６及び第二分割ハウジング３０の自由端を接近する方向に押圧して、仮ロック用突起２６と係合している係合突起４１をロック用突起２５に対して係合させる。これにより第一分割ハウジング１６と第二分割ハウジング３０は第一対向面１７と第二対向面３１が面接触し（または微小隙間を形成しながら対向し）かつ前後の第一ケーブル取付溝３３と第二ケーブル取付溝３４が第一ケーブル７０の前後二カ所の上半部と第二ケーブル７５の上記他端近傍部の上半部にそれぞれ嵌り込んだ（接触した）閉状態に保持（ロック）される。またケーブル押圧突起３２及び第一ケーブル７０の中間部がコンタクト取付溝１８の奥側（底面側）にさらに進入することにより、圧接用溝６３の内面（左右両面）によって絶縁チューブ７２が破られ、圧接用溝６３の内面が芯線７１に接触する（圧接する）。また、第一ケーブル７０の中間部の前後に位置する２つの部位の下半部が前後の第一ケーブル取付溝１９に対してそれぞれ嵌る（接触する）。そのため分岐コネクタ１０の内部において第一ケーブル７０の中間部と第二ケーブル７５の上記他端近傍部（後端近傍部）が互いに電気的に導通する。
【００２０】
また第一分割ハウジング１６と第二分割ハウジング３０が閉状態になると、第一分割ハウジング１６の嵌合壁２３Ａ、２３Ｂ、及び２３Ｃが、第二分割ハウジング３０の嵌合溝３７Ａ、３７Ｂ、及び３７Ｃに対してそれぞれ嵌合する（図７、図８参照）。
第一分割ハウジング１６と第二分割ハウジング３０を閉状態にしても第一分割ハウジング１６の第一対向面１７と第二分割ハウジング３０の第二対向面３１の間には微小な隙間が形成される可能性がある。しかし第一分割ハウジング１６の嵌合壁２３Ａ、２３Ｂ、及び２３Ｃが、第二分割ハウジング３０の嵌合溝３７Ａ、３７Ｂ、及び３７Ｃに対してそれぞれ嵌合する結果、嵌合壁２３Ａ、２３Ｂ、２３Ｃ及び嵌合溝３７Ａ、３７Ｂ、３７Ｃを形成しない場合に比べて、第一対向面１７と第二対向面３１の間の上記隙間の第一分割ハウジング１６及び第二分割ハウジング３０の外周縁部から中継コンタクト６０までの沿面距離が長くなる。そのため分岐コネクタ１０の外側にある水や埃などが第一対向面１７と第二対向面３１の間の上記隙間を通り抜けて中継コンタクト６０や第一ケーブル７０及び第二ケーブル７５の中継コンタクト６０との接続部（芯線７１及び芯線７６の後端部）に接触するおそれを低減できる。
【００２１】
さらに第一分割ハウジング１６と第二分割ハウジング３０が閉状態になると、メインパッキン５０の第一構成部５１、第二構成部５２、及び第三構成部５３が第二分割ハウジング３０のパッキン取付用溝３８Ａ、３８Ｂ、及び３８Ｃに対して水密状態（及び気密状態）で嵌合すると共に、半円状部５４及び半円状部５５の上面と対応する各サブパッキン５７の下面が互いに水密状態（及び気密状態）で接触し、さらに半円状部５４、５５、及びサブパッキン５７の内面が対応する第一ケーブル７０（絶縁チューブ７２）と第二ケーブル７５（絶縁チューブ７７）の一部の外周面全体に水密状態（及び気密状態）で接触する。
そのため、半円状凹部３５、３６、及びパッキン取付用溝３８Ａ、３８Ｂ、３８Ｃ並びにメインパッキン５０及び各サブパッキン５７を設けない場合に比べて、第一対向面１７と第二対向面３１の間の上記隙間の第一分割ハウジング１６及び第二分割ハウジング３０の外周縁部から中継コンタクト６０までの沿面距離が長くなる。さらに、仮に分岐コネクタ１０の外側にある水や埃などが嵌合壁２３Ａ、２３Ｂ、２３Ｃと嵌合溝３７Ａ、３７Ｂ、３７Ｃの間を通り抜けて、嵌合壁２３Ａ、２３Ｂ、２３Ｃ及び嵌合溝３７Ａ、３７Ｂ、３７Ｃの内側に進入したとしても、この水や埃が中継コンタクト６０側へ進入するのを、半円状凹部３５、３６、及びパッキン取付用溝３８Ａ、３８Ｂ、３８Ｃ並びにメインパッキン５０及び各サブパッキン５７によって効果的に防止できる。
【００２２】
以上、本発明を上記各実施形態に基づいて説明したが、本発明は上記実施形態に限定されるものではなく、様々な変形を施しながら実施可能である。
例えば第一分割ハウジング１６側に嵌合溝３７Ａ、３７Ｂ、３７Ｃを形成し、第二分割ハウジング３０側に嵌合壁２３Ａ、２３Ｂ、２３Ｃを形成してもよい。
嵌合壁２３Ａ、２３Ｂ、２３Ｃ及び嵌合溝３７Ａ、３７Ｂ、３７Ｃを省略するか、又は、メインパッキン５０及びパッキン取付用溝３８Ａ、３８Ｂ、３８Ｃを省略してもよい。
またメインパッキン５０及び半円状部５７を一体成形品としてもよい。
さらにコンタクト取付溝１８の前後に配置した半円状部５４（及び対応するサブパッキン５７）をそれぞれ一つ又は３つ以上としたり、半円状部５５（及び対応するサブパッキン５７）を一つ又は３つ以上としてもよい。
【００２３】
また中継コンタクト６０のケーブル圧着部６５を前後一対のケーブル圧接片６２（圧接用溝６３）に変更してもよい。この場合は、展開状態にある絶縁ハウジング１５の第一分割ハウジング１６のコンタクト取付溝１８に対して中継コンタクト６０を取り付けた後に、中継コンタクト６０の左側の（前後の）ケーブル圧接片６２の圧接用溝６３の入口側端部に第一ケーブル７０を嵌め込み、かつ、右側の（前後の）ケーブル圧接片６２の圧接用溝６３の入口側端部に第二ケーブル７５を嵌め込む。そして第一分割ハウジング１６と第二分割ハウジング３０を閉状態にすることにより、第一ケーブル７０の芯線７１と第二ケーブル７５の芯線７６を対応する各圧接用溝６３の内面に対して接触させる（圧接する）。
【符号の説明】
【００２４】
１０    分岐コネクタ
１５    絶縁ハウジング
１６    第一分割ハウジング
１７    第一対向面
１８    コンタクト取付溝
１８ａ  位置決め突起
１９    第一ケーブル取付溝（第一挟持部）
２０    第二ケーブル取付溝（第一挟持部）
２１  ２２  半円状凹部
２３Ａ  ２３Ｂ  ２３Ｃ  嵌合壁（嵌合突部）（第一嵌合突部）
２４Ａ  ２４Ｂ  ２４Ｃ  パッキン取付用突起
２５    ロック用突起（ロック手段）
２６    仮ロック用突起
２７    ロック用突起
３０    第二分割ハウジング
３１    第二対向面
３２    ケーブル押圧突起
３３    第一ケーブル取付溝（第二挟持部）
３４    第二ケーブル取付溝（第二挟持部）
３５  ３６  半円状凹部
３７Ａ  ３７Ｂ  ３７Ｃ  嵌合溝（有底溝）（第一有底溝）
３８Ａ  ３８Ｂ  ３８Ｃ  パッキン取付用溝（有底溝）（第二有底溝）
３９    第一突片
４０    貫通孔
４１    係合突起（ロック手段）
４２    第二突片
４３    貫通孔
４５    連結部
４６    折り曲げ線
５０    メインパッキン（嵌合突部）（第二嵌合突部）
５１    第一構成部
５２    第二構成部
５３    第三構成部
５４    半円状部（第一パッキン）
５５    半円状部（第二パッキン）
５７    サブパッキン（第一パッキン）（第二パッキン）
６０    中継コンタクト
６１    基片
６１ａ  位置決め孔
６２    ケーブル圧接片
６３    圧接用溝
６４    延出片
６５    ケーブル圧着部
６６    圧着片
７０    第一ケーブル
７１    芯線
７２    絶縁チューブ
７５    第二ケーブル
７６    芯線
７７    絶縁チューブ
【図１】
2014116097.tif 000003
【図２】
2014116097.tif 000004
【図３】
2014116097.tif 000005
【図４】
2014116097.tif 000006
【図５】
2014116097.tif 000007
【図６】
2014116097.tif 000008
【図７】
2014116097.tif 000009
【図８】
2014116097.tif 000010